(57)【要約】【課題】  内部の部品を変更しても継続して使用可能なケースを備えた画像読取装置を提供する。【解決手段】  本発明の画像読取装置Ａ１は、原稿Ｇと接する原稿当接面２ａを有するカバー部材２と、受光手段６と、基板７と、原稿Ｇからの光を受光手段６に導くレンズ部材５と、レンズ部材５および基板７を内部に収容するケース本体部１０を有するケース１と、を備えており、カバー部材２およびケース本体部１０の双方と接するように、ｚ方向において両者に挟まれたスペーサ部材３２，３３を備えており、カバー部材２は、ｚ方向の原稿当接面２ａから遠ざかる方に向けて突出する係合片２１２を有しており、ケース１は、係合片２１２と係合する係合部１２を有しており、ケース１とカバー部材２との間にｚ方向に両者を近接させる、係合片２１２と係合部１２との係合により発生する弾性力が加えられている。【選択図】  図４
2012019333.tif 000002
【特許請求の範囲】
【請求項１】
原稿と接する原稿当接面を有するカバー部材と、
主走査方向に沿って長く延びる受光手段と、
上記受光手段を支持する基板と、
上記主走査方向および副走査方向と直交する厚み方向において、上記原稿当接面と上記受光手段との間に配置されており、上記原稿からの光を上記受光手段に導くレンズ部材と、
上記レンズ部材および上記基板を内部に収容するケース本体部を有するケースと、
を備えた画像読取装置であって、
上記カバー部材および上記ケース本体部の双方と接するように、上記厚み方向において両者に挟まれた少なくとも１以上のスペーサ部材を備えており、
上記カバー部材は、上記厚み方向の上記原稿当接面から遠ざかる方向に向けて突出する少なくとも１以上の係合片を有しており、
上記ケースは、上記係合片のそれぞれと係合する少なくとも１以上の係合部を有しており、
上記ケースと上記カバー部材との間に上記厚み方向に両者を近接させる、上記係合片と上記係合部との係合により発生する弾性力が加えられていることを特徴とする、画像読取装置。
【請求項２】
上記係合片は、上記カバー部材の上記副走査方向における端縁から延出しており、かつ、上記厚み方向における上記原稿当接面から遠い方の端部に上記副走査方向の外方に向けて膨出する膨出部を有しており、
上記係合部の上記各係合片と係合する部位の上記副走査方向における内方の端縁は、上記膨出部の上記副走査方向における外方の端縁よりも内側に位置している、請求項１に記載の画像読取装置。
【請求項３】
上記係合部は、上記ケース本体部の上記副走査方向における端縁から上記副走査方向の外方に膨出しており、かつ、上記係合片を収容する空間が形成されており、
上記係合部は、上記空間によって他の部位と隔てられた上記主走査方向に延びる橋状部を有しており、
上記橋状部が、上記係合部の上記係合片と係合する部位であり、
上記膨出部は、上記副走査方向における外方ほど上記厚み方向において上記原稿当接面から遠ざかるように傾斜する傾斜面を有しており、
上記傾斜面と上記橋状部とが当接している、請求項２に記載の画像読取装置。
【請求項４】
上記ケースは、上記厚み方向における長さを弾性的に変更可能であり、かつ、上記係合部に連結された弾性部を有している、請求項２に記載の画像読取装置。
【請求項５】
上記ケースは、上記厚み方向における上記基板の上記原稿当接面から遠い方の端面に当接し、上記副走査方向における端部において上記弾性部と連結された支持部を有している、請求項４に記載の画像読取装置。
【請求項６】
上記ケースは、上記ケース本体部の外側に取り付けられる固定金具を有しており、
上記固定金具は、上記係合部、上記弾性部、および、上記支持部を備えている、請求項５に記載の画像読取装置。
【請求項７】
上記固定金具は、金属板を変形させることにより形成されており、上記弾性部は折り曲げ加工により形成されている、請求項６に記載の画像読取装置。
【請求項８】
上記ケースは上記基板を収容する、上記厚み方向において上記原稿当接面に近づくように凹む収容凹部を備えており、
上記厚み方向における上記収容凹部と上記基板との間には基板用スペーサ部材が設置されている、請求項１ないし７のいずれかに記載の画像読取装置。
【請求項９】
上記基板用スペーサ部材は、上記厚み方向視において上記受光部材を囲む枠状に形成されている、請求項８に記載の画像読取装置。
【請求項１０】
上記原稿が上記副走査方向における一方から他方に向けて進行するように構成されており、
上記カバー部材は、上記副走査方向における一方の端縁から上記副走査方向の一方へ向けて突出する誘導部材を有しており、
上記誘導部材は、上記原稿当接面と連続し、上記原稿に当接する原稿誘導面を有している、請求項１ないし９のいずれかに記載の画像読取装置。
【請求項１１】
上記誘導部材の上記副走査方向における一方の端部には、上記副走査方向における一方側ほど上記厚み方向において上記原稿誘導面から遠ざかる原稿誘導傾斜面が形成されている、請求項１０に記載の画像読取装置。
【請求項１２】
上記スペーサ部材は、上記主走査方向において上記レンズ部材を挟んで離間する位置に設けられた１対のスペーサ部材を含んでおり、
上記係合片は、上記副走査方向視において上記一対のスペーサ部材の一方と重なる位置に設けられた第１の係合片と、上記副走査方向視において上記１対のスペーサ部材の他方と重なる位置に設けられた第２の係合片とを含んでいる、請求項１ないし１１のいずれかに記載の画像読取装置。
【請求項１３】
上記第１の係合片は、上記副走査方向において上記１対のスペーサ部材の一方を挟んで離間するように上記カバー部材の両端縁に設けられており、
上記第２の係合片が、上記副走査方向において上記１対のスペーサ部材の他方を挟んで離間するように上記カバー部材の両端縁に設けられている、請求項１２に記載の画像読取装置。
【請求項１４】
上記１対のスペーサ部材は、それぞれ上記厚み方向に膨出する少なくとも１以上の凸部を有する、請求項１２または１３に記載の画像読取装置。
【請求項１５】
上記１対のスペーサ部材は、それぞれ上記副走査方向に沿って配列された複数の上記凸部を有している、請求項１４に記載の画像読取装置。
【請求項１６】
上記スペーサ部材は、上記主走査方向において上記１対のスペーサ部材に挟まれた位置に設けられた１以上の追加のスペーサ部材を含んでおり、
上記係合片は、上記副走査方向視において上記追加のスペーサ部材と重なる位置に設けられた第３の係合片を含んでいる、請求項１２ないし１５のいずれかに記載の画像読取装置。
【請求項１７】
上記追加のスペーサ部材は、上記副走査方向において上記レンズ部材を挟んで離間する位置に設けられた追加の１対のスペーサ部材を含んでいる、請求項１６に記載の画像読取装置。
【請求項１８】
上記第３の係合片は、上記副走査方向において上記追加のスペーサ部材を挟んで離間するように上記カバー部材の両端縁に設けられている、請求項１６または１７に記載の画像読取装置。
【請求項１９】
上記追加のスペーサ部材は、上記厚み方向に膨出する凸部を有する、請求項１６ないし１８のいずれかに記載の画像読取装置。
【発明の詳細な説明】
【技術分野】
【０００１】
本発明は、原稿を読み取るのに用いられるスキャナ装置などに組み込まれる画像読取装置に関する。
【背景技術】
【０００２】
図１６には従来の画像読取装置の一例を示している（たとえば特許文献１参照）。このような画像読取装置Ｘは、ケース９１、ガラスカバー９２、ＬＥＤユニット９３、導光体９４、レンズ部材９５、受光手段９６、および、受光手段９６を保持する基板９７を備えている。画像読取装置Ｘは、たとえばスキャナ装置の筐体に組み込まれ、ガラスカバー９２の図１５中上面に沿って進行させられる原稿Ｇを読み取るためのものである。ガラスカバー９２、導光体９４、レンズ部材９５、および基板９７は、図１６の紙面に垂直な方向に長く延びるように形成されている。受光手段９６は、基板９７の長手方向に沿って配列された複数のセンサＩＣからなる。画像読取装置Ｘでは、ＬＥＤユニット９３から出射された光は、導光体９４の長手方向に沿って内側で反射しながら進行し、長手方向の各所から原稿Ｇに向けて出射される。原稿Ｇによって反射された光はレンズ部材９５によって受光手段９６に導かれる。受光手段９６は、受光した光に応じて電気信号を出力し、この電気信号を外部に出力することにより、原稿Ｇの画像の読み取りを行う。
【０００３】
このような画像読取装置Ｘにおいては、レンズ部材９５の焦点距離に合わせて、ｚ方向におけるガラスカバー９２上面の位置、レンズ部材９５の位置、および、受光手段９６の位置関係を調整する必要がある。たとえばガラスカバー９２の厚みが変わったりすると、受光手段９６に好ましい原稿Ｇの像ができなくなり、読み取りを正確に行うことができなくなることがあった。このため、画像読取装置Ｘでは、ガラスカバー９２の厚みや受光手段９６の高さなどが変化しないようにケース９１が形成されている。
【０００４】
しかしながら、このような構成では、たとえばガラスカバー９２，レンズ部材９５、および、受光手段９６の改良品が開発された場合、それらをそのままケース９１に組み込んでも、原稿Ｇを正確に読み取れない問題が生じることがある。このため、画像読取装置Ｘでは、一部の部品を変更するたびに、変更した部品に適したケース９１が新しく必要となり、高額になりがちなケース９１の金型を新しく設計し、製造する必要があった。
【先行技術文献】
【特許文献】
【０００５】
【特許文献１】特開２００４−４０８２０号公報
【発明の概要】
【発明が解決しようとする課題】
【０００６】
本発明は、上記した事情のもとで考え出されたものであって、内部の部品を変更しても継続して使用可能なケースを備えた画像読取装置を提供することを課題とする。
【課題を解決するための手段】
【０００７】
本発明によって提供される画像読取装置は、原稿と接する原稿当接面を有するカバー部材と、主走査方向に沿って長く延びる受光手段と、上記受光手段を支持する基板と、上記主走査方向および副走査方向と直交する厚み方向において、上記原稿当接面と上記受光手段との間に配置されており、上記原稿からの光を上記受光手段に導くレンズ部材と、上記レンズ部材および上記基板を内部に収容するケース本体部を有するケースと、を備えた画像読取装置であって、上記カバー部材および上記ケース本体部の双方と接するように、上記厚み方向において両者に挟まれた少なくとも１以上のスペーサ部材を備えており、上記カバー部材は、上記厚み方向の上記原稿当接面から遠ざかる方向に向けて突出する少なくとも１以上の係合片を有しており、上記ケースは、上記係合片のそれぞれと係合する少なくとも１以上の係合部を有しており、上記ケースと上記カバー部材との間に上記厚み方向に両者を近接させる、上記係合片と上記係合部との係合により発生する弾性力が加えられていることを特徴とする。
【０００８】
このような構成によれば、上記厚み方向において上記スペーサ部材を間に挟みながら上記ケースと上記カバー部材とが近づこうとしているため、上記ケースと上記カバー部材との間隔が不当に変化しにくくなっている。さらに、上記ケースと上記カバー部材との間隔を、上記スペーサ部材の厚み方向における長さを変更することで変えることが可能となっている。このため、本発明の画像読取装置では、部品の変更により、上記レンズ部材と上記原稿当接面との間隔を変える必要が生じた場合に上記ケースをそのまま用い、上記スペーサ部材を変更することで対応することができる。また、上記ケースと上記カバー部材とが独立したものとなっているため、上記ケースに手を加えずに上記カバー部材のみを変更すれば済む場合が増加する。従って、本発明の画像読取装置によれば、内部の部品を変更しても継続して同一のケースを利用可能な場合が増加し、新規にケースを設計し、高額の金型を製造する必要が減少する。
【０００９】
好ましい実施の形態においては、上記係合片は、上記カバー部材の上記副走査方向における端縁から延出しており、かつ、上記厚み方向における上記原稿当接面から遠い方の端部に上記副走査方向の外方に向けて膨出する膨出部を有しており、上記係合部の上記各係合片と係合する部位の上記副走査方向における内方の端縁は、上記膨出部の上記副走査方向における外方の端縁よりも内側に位置している。
【００１０】
より好ましい実施の形態においては、上記係合部は、上記ケース本体部の上記副走査方向における端縁から上記副走査方向の外方に膨出しており、かつ、上記係合片を収容する空間が形成されており、上記係合部は、上記空間によって他の部位と隔てられた上記主走査方向に延びる橋状部を有しており、上記橋状部が、上記係合部の上記係合片と係合する部位であり、上記膨出部は、上記副走査方向における外方ほど上記厚み方向において上記原稿当接面から遠ざかるように傾斜する傾斜面を有しており、上記傾斜面と上記橋状部とが当接している。
【００１１】
別のより好ましい実施の形態においては、上記ケースは、上記厚み方向における長さを弾性的に変更可能であり、かつ、上記係合部に連結された弾性部を有している。
【００１２】
好ましくは、上記ケースは、上記厚み方向における上記基板の上記原稿当接面から遠い方の端面に当接し、上記副走査方向における端部において上記弾性部と連結された支持部を有している。
【００１３】
より好ましくは、上記ケースは、上記ケース本体部の外側に取り付けられる固定金具を有しており、上記固定金具は、上記係合部、上記弾性部、および、上記支持部を備えている。
【００１４】
より好ましくは、上記固定金具は、金属板を変形させることにより形成されており、上記弾性部は折り曲げ加工により形成されている。
【００１５】
好ましい実施の形態においては、上記ケースは上記基板を収容する、上記厚み方向において上記原稿当接面に近づくように凹む収容凹部を備えており、上記厚み方向における上記収容凹部と上記基板との間には基板用スペーサ部材が設置されている。
【００１６】
好ましくは、上記基板用スペーサ部材は、上記厚み方向視において上記受光部材を囲む枠状に形成されている。
【００１７】
より好ましい実施の形態においては、上記原稿が上記副走査方向における一方から他方に向けて進行するように構成されており、上記カバー部材は、上記副走査方向における一方の端縁から上記副走査方向の一方へ向けて突出する誘導部材を有しており、上記誘導部材は、上記原稿当接面と連続し、上記原稿に当接する原稿誘導面を有している。
【００１８】
好ましくは、上記誘導部材の上記副走査方向における一方の端部には、上記副走査方向における一方側ほど上記厚み方向において上記原稿誘導面から遠ざかる原稿誘導傾斜面が形成されている。
【００１９】
好ましい実施の形態においては、上記スペーサ部材は、上記主走査方向において上記レンズ部材を挟んで離間する位置に設けられた１対のスペーサ部材を含んでおり、上記係合片は、上記副走査方向視において上記一対のスペーサ部材の一方と重なる位置に設けられた第１の係合片と、上記副走査方向視において上記１対のスペーサ部材の他方と重なる位置に設けられた第２の係合片とを含んでいる。
【００２０】
より好ましい実施の形態においては、上記第１の係合片は、上記副走査方向において上記１対のスペーサ部材の一方を挟んで離間するように上記カバー部材の両端縁に設けられており、上記第２の係合片が、上記副走査方向において上記１対のスペーサ部材の他方を挟んで離間するように上記カバー部材の両端縁に設けられている。
【００２１】
好ましくは、上記１対のスペーサ部材は、それぞれ上記厚み方向に膨出する少なくとも１以上の凸部を有する。
【００２２】
より好ましくは、上記１対のスペーサ部材は、それぞれ上記副走査方向に沿って配列された複数の上記凸部を有している。
【００２３】
より好ましい実施の形態においては、上記スペーサ部材は、上記主走査方向において上記１対のスペーサ部材に挟まれた位置に設けられた１以上の追加のスペーサ部材を含んでおり、上記係合片は、上記副走査方向視において上記追加のスペーサ部材と重なる位置に設けられた第３の係合片を含んでいる。
【００２４】
好ましくは、上記追加のスペーサ部材は、上記副走査方向において上記レンズ部材を挟んで離間する位置に設けられた追加の１対のスペーサ部材を含んでいる。
【００２５】
より好ましくは、上記第３の係合片は、上記副走査方向において上記追加のスペーサ部材を挟んで離間するように上記カバー部材の両端縁に設けられている。
【００２６】
より好ましくは、上記追加のスペーサ部材は、上記厚み方向に膨出する凸部を有する。
【００２７】
本発明のその他の特徴および利点は、添付図面を参照して以下に行う詳細な説明によって、より明らかとなろう。
【図面の簡単な説明】
【００２８】
【図１】本発明の第１実施形態における画像読取装置の平面図である。
【図２】図１に示す画像読取装置のカバー部材を省略した図である。
【図３】図１のＩＩＩ−ＩＩＩ線に沿う断面図である。
【図４】図１のＩＶ−ＩＶ線に沿う断面図である。
【図５】図１に示す画像読取装置の底面図である。
【図６】図５に示す画像読取装置の基板を省略した図である。
【図７】図１に示す画像読取装置の作用を説明するための図である。
【図８】本発明の第２実施形態における画像読取装置の平面図である。
【図９】図８のＩＸ−ＩＸ線に沿う断面図である。
【図１０】本発明の第３実施形態における画像読取装置の平面図である。
【図１１】図１０のＸＩ−ＸＩ線に沿う断面図である。
【図１２】本発明の第４実施形態における画像読取装置の平面図である。
【図１３】図１２のＸＩＩＩ−ＸＩＩＩ線に沿う断面図である。
【図１４】本発明の第５実施形態における画像読取装置の断面図である。
【図１５】本発明の第６実施形態における画像読取装置の断面図である。
【図１６】従来の画像読取装置の一例を示す断面図である。
【発明を実施するための形態】
【００２９】
以下、本発明の好ましい実施の形態につき、図面を参照して具体的に説明する。
【００３０】
図１〜図７は、本発明における画像読取装置の第１実施形態を示している。図１に示すように画像読取装置Ａ１は、平面視略長矩形状のケース１とカバー部材２とを備えている。図１に示すｘ方向は画像読取装置Ａ１の主走査方向であり、ｙ方向は副走査方向である。図２には、画像読取装置Ａ１のカバー部材２を外した状態を示している。図２〜図４に示すように画像読取装置Ａ１はさらに、スペーサ部材３１，３２，３３、基板用スペーサ部材３４、線状光源４、レンズ部材５、受光手段６、および、基板７を備えている。図３および図４に示すｚ方向は画像読取装置Ａ１の厚み方向である。画像読取装置Ａ１は、たとえばスキャナ装置などに組み込まれるものであり、図４に示すように、カバー部材２に搭載された原稿Ｇを読み取るためのものである。
【００３１】
線状光源４は、図２に示すように、ｘ方向図中右端に配置されたＬＥＤユニット４１と、ｘ方向に長く延びる導光体４２と、導光体４２に沿って設けられた反射部材４３とを備えている。ＬＥＤユニット４１は、たとえば複数のＬＥＤチップを内蔵しており、主にｘ方向に向けて光を出射するように構成されている。導光体４２は、ＬＥＤユニット４１から出射された光をｘ方向に沿って進行させつつ、その一部を順次原稿Ｇに向けて出射する。反射部材４３は、たとえば白色樹脂であり、図４に示すように導光体４２の原稿Ｇに向けて光を出射するための領域を露出させ、他の部分を覆うように形成されている。
【００３２】
レンズ部材５は、原稿Ｇからの光を受光手段６に導くためのものであり、ｘ方向に沿って配列された複数の円柱状のロッドレンズ５１と、それらを支持する樹脂製の保持部材５２とによって構成されたロッドレンズアレイである。
【００３３】
受光手段６は、ｘ方向に沿って一列に配列された複数の光電変換素子により構成されており、受光した光に応じた信号を出力する。光電変換素子としては、たとえばＣＭＯＳセンサチップが用いられる。
【００３４】
基板７は、受光手段６を搭載しており、受光手段６からの信号を出力するためのコネクタ７１を備えている。コネクタ７１は、たとえば、図５に示すように、基板７のｘ方向端部に配置されている。基板７は、たとえば図示しない金具などによってケース１に押し付けられるように取り付けられている。
【００３５】
ケース１は、内部に基板用スペーサ部材３４、線状光源４、レンズ部材５、受光手段６、および、基板７を収容するケース本体部１０と、ケース本体部１０からｙ方向外方に膨出する係合部１１，１２，１３を備えている。ケース本体部１０は、図４に示すように、基準面１０ａおよび収容凹部１０ｂ，１０ｃ，１０ｄを備えている。基準面１０ａは、図３および図４に示すように、ケース本体部１０のｚ方向における上端面である。
【００３６】
収容凹部１０ｂは、線状光源４を収容するためのものであり、図２に示すようにｘ方向に長く延びるように形成されている。
【００３７】
収容凹部１０ｃは、レンズ部材５を収容するためのものであり、収容凹部１０ｂに沿うように形成されている。収容凹部１０ｃのｚ方向における図４中下端には、光を通すための貫通溝が形成されている。
【００３８】
収容凹部１０ｄは、基板７を収容するためのものであり、ｚ方向における基準面１０ａの反対側に設けられており、ケース本体部１０の図４中下端面からｚ方向内方に凹むように形成されている。この収容凹部１０ｄには、基板用スペーサ部材３４が配置される。
【００３９】
基板用スペーサ部材３４は、基板７のｚ方向における位置を調整するための部材であり、図６に示すように、ｚ方向視枠状に形成されている。なお、コネクタ７１を回避するために、基板用スペーサ部材３４が成す枠はｘ方向の端部において一部が欠ける長矩形状の枠となっている。基板用スペーサ部材３４のｚ方向における厚みをスペーサ厚ｄ１とする。このスペーサ厚ｄ１は、ｚ方向におけるレンズ部材５と受光手段６との距離ｈ１が適切な値となるように決定される。
【００４０】
さらに、基板用スペーサ部材３４は、ｘ方向の両端部にそれぞれｘ方向に突出する凸片３４１，３４２を有している。収容凹部１０ｄには、この凸片３４１，３４２に嵌合する凹部１０１，１０２が形成されている。凸片３４１，３４２が凹部１０１，１０２に嵌合することにより基板用スペーサ部材３４の収容凹部１０ｄ内における位置は固定される。また、収容凹部１０ｄには、コネクタ７１を収容するための凹部１０３も形成されている。
【００４１】
係合部１１は、図１および図２に示すように、ケース本体部１０のｘ方向における左端部のｙ方向における両側に形成されている。係合部１１は、図３に示すように、ｚ方向に一定の深さを有する溝部１１ａと、溝部１１ａと外部とを繋ぐ開口部１１ｂと、溝部１１ａおよび開口部１１ｂにより他の部分から隔てられた橋状部１１ｃとを備えている。橋状部１１ｃは、係合部１１のｙ方向外縁かつｚ方向における基準面１０ａに近いほうの端部である。
【００４２】
係合部１２は、図１および図２に示すように、ケース本体部１０のｘ方向における中央部のｙ方向における両側に形成されている。係合部１２は、図４に示すように、ｚ方向に一定の深さを有する溝部１２ａと、溝部１２ａと外部とを繋ぐ開口部１２ｂと、溝部１２ａおよび開口部１２ｂにより他の部分から隔てられた橋状部１２ｃとを備えている。橋状部１２ｃは、係合部１２のｙ方向外縁かつｚ方向における基準面１０ａに近いほうの端部である。
【００４３】
係合部１３は、図１および図２に示すように、ケース本体部１０のｘ方向における右端部のｙ方向における両側に形成されている。係合部１３は、ｚ方向に一定の深さを有する溝部１３ａと、溝部１３ａと外部とを繋ぐ図示しない開口部と、溝部１３ａおよび図示しない開口部により他の部分から隔てられた橋状部１３ｃとを備えている。橋状部１３ｃは、係合部１３のｙ方向外縁かつｚ方向における基準面１０ａに近いほうの端部である。
【００４４】
カバー部材２は、枠部材２１と、枠部材２１の中央に形成された枠２１ａに保持された透明カバー２２とによって構成されており、原稿Ｇに当接する原稿当接面２ａを有している。原稿当接面２ａは、図４に示すように、枠部材２１のｚ方向上端面と、透明カバー２２のｚ方向上端面とによって構成されている。透明カバー２２は、画像読取装置Ａ１が組み込まれるスキャナ装置において必要な強度などに応じ、たとえば厚みや材質が適宜定められる。
【００４５】
枠部材２１の枠２１ａに沿う内周縁は、内側ほど原稿当接面２ａから遠ざかるように傾斜する斜面となっており、枠２１ａに透明カバー２２を嵌め込みやすい構造となっている。また、原稿Ｇが透明カバー２２に引っかかるのを防止するために、透明カバー２２は角が削られた形状になっている。
【００４６】
枠部材２１は、ｘ方向における図１中の左端部にｙ方向における両側縁からｚ方向に原稿当接面２ａから遠ざかるように突出する係合片２１１を有している。各係合片２１１は、図３に示すように、ｚ方向における原稿当接面２ａから遠い方の端部にｙ方向外方に膨出する膨出部２１１ａを備えている。各膨出部２１１ａは、ｙ方向における外方ほどｚ方向において原稿当接面２ａから遠ざかるように傾斜する傾斜面２１１ｂを有している。係合片２１１は係合部１１の溝部１１ａに収容されている。各係合片２１１の各膨出部２１１ａのｙ方向外側の端同士のｙ方向における間隔は、各溝部１１ａのｙ方向外側の端同士のｙ方向における間隔よりも長くなっている。このため、傾斜面２１１ｂが係合部１１の橋状部１１ｃと当接しており、各膨出部２１１ａのｙ方向外側の端部は開口部１１ｂに収容されている。
【００４７】
さらに、枠部材２１は、ｘ方向における図１中の中央部にｙ方向における両側縁からｚ方向に原稿当接面２ａから遠ざかるように突出する係合片２１２を有している。各係合片２１２は、図４に示すように、ｚ方向における原稿当接面２ａから遠い方の端部にｙ方向外方に膨出する膨出部２１２ａを備えている。各膨出部２１２ａは、ｙ方向における外方ほどｚ方向において原稿当接面２ａから遠ざかるように傾斜する傾斜面２１２ｂを有している。係合片２１２は係合部１２の溝部１２ａに収容されている。各係合片２１２の各膨出部２１２ａのｙ方向外側の端同士のｙ方向における間隔は、各溝部１２ａのｙ方向外側の端同士のｙ方向における間隔よりも長くなっている。このため、傾斜面２１２ｂが係合部１２の橋状部１２ｃと当接しており、各膨出部２１２ａのｙ方向外側の端部は開口部１２ｂに収容されている。
【００４８】
またさらに、枠部材２１は、ｘ方向における図１中の右端部にｙ方向における両側縁からｚ方向に原稿当接面２ａから遠ざかるように突出する係合片２１３を有している。各係合片２１３の構成は、先に記述した係合片２１１，２１２と同様に、ｚ方向における原稿当接面２ａから遠い方の端部にｙ方向外方に膨出する膨出部を備えている。さらにこの膨出部は、ｙ方向における外方ほどｚ方向において原稿当接面２ａから遠ざかるように傾斜する傾斜面を有している。係合片２１３は係合部１３の溝部１３ａに収容されている。各係合片２１３の各膨出部のｙ方向外側の端同士のｙ方向における間隔は、各溝部１３ａのｙ方向外側の端同士のｙ方向における間隔よりも長くなっている。このため、係合片２１３の傾斜面が係合部１３の橋状部１３ｃと当接しており、各膨出部のｙ方向外側の端部は係合部１３の図示しない開口部に収容されている。
【００４９】
枠部材２１は、たとえば人の手で変形させ係合片２１１，２１２，２１３を溝部１１ａ，１２ａ，１３ａに押し込むことができる程度の弾性を有するエポキシ樹脂により形成されている。
【００５０】
スペーサ部材３１，３２，３３は、それぞれ基準面１０ａに搭載されており、ｚ方向におけるケース１とカバー部材２との間隔を調整するための部材である。図２に示すように、スペーサ部材３１は、ｘ方向における図中の左端に、スペーサ部材３２はｘ方向における図中の中央に、スペーサ部材３３はｘ方向における図中の右端に設置されている。スペーサ部材３１は、たとえば樹脂製であり、ｙ方向に並立する半球状の凸部３１１，３１２を備えている。凸部３１１，３１２のｚ方向における図３における上端は同じ位置にあり、いずれも枠部材２１のｚ方向における原稿当接面２ａの反対側の面と当接している。スペーサ部材３３は、たとえば樹脂製であり、ｙ方向に並立する半球状の凸部３３１，３３２を備えている。凸部３３１，３３２のｚ方向における図４における上端は同じ位置にある。スペーサ部材３２は、たとえば樹脂製であり、半球状の凸部３２１を備えている。ケース本体部１０のｘ方向中央部においては、基準面１０ａは収容凹部１０ｂ，１０ｃによって分割されている。このため、スペーサ部材３２は、基準面１ａのｙ方向における両端に配置されている。スペーサ部材３１，３２，３３のｚ方向における厚みをスペーサ厚ｄ２とする。このスペーサ厚ｄ２はｚ方向における原稿当接面２ａとレンズ部材５との距離ｈ２が適切な値となるように決定される。なお、具体的には、スペーサ厚ｄ２は、１ｍｍ程度の範囲で変更可能である。
【００５１】
次に、画像読取装置Ａ１の作用を図７も参照にしつつ説明する。
【００５２】
上述した画像読取装置Ａ１において、係合片２１１，２１２，２１３は、ｙ方向内方に向けて曲げられた状態で溝部１１ａ，１２ａ，１３ａに押し込まれるため、カバー部材２とケース１とを組み合わせたときには、ｙ方向外方へ向けて広がるように付勢された状態となる。このため、係合片２１１，２１２，２１３は橋状部１１ｃ，１２ｃ，１３ｃにｙ方向に広がる力を加えることになり、その反作用を常に受けることになる。その反作用を傾斜面２１１ｂ，２１２ｂおよび係合片２１３の傾斜面で受けるため、係合片２１１，２１２，２１３にはｚ方向に沿ってカバー部材２をケース１に近づける力がかかることになる。この結果、カバー部材２は、スペーサ部材３１，３２，３３を間に挟みながら、ケース１に近づこうとしており、カバー部材２とケース１との間隔は不当に変化しにくくなっている。従って、画像読取装置Ａ１では、スペーサ厚ｄ２に合わせて、原稿当接面２ａとレンズ部材５との距離ｈ２を精度よく変化させることが可能である。
【００５３】
上述した画像読取装置Ａ１において、レンズ部材５は、受光手段６の各光電変換素子の位置に原稿Ｇの像を結ぶように収容凹部１０ｃに固定されている。図７には、画像読取装置Ａ１の透明カバー２２を厚みの異なる透明カバー２２’に取り替え、さらに、受光手段６をｚ方向の厚みが異なる受光手段６’に変更した場合を示している。
【００５４】
図７における画像読取装置Ａ１では、基板用スペーサ部材３４とは異なるスペーサ厚ｄ１’を有する基板用スペーサ部材３４’を用いることで、レンズ部材５の位置を変えることなく、レンズ部材５と受光手段６’との距離をｈ１としている。
【００５５】
図７における画像読取装置Ａ１では、透明カバー２２’の厚みが透明カバー２２と異なるため、仮に原稿当接面２ａのｚ方向における位置が図１〜図６と同じままであると、原稿当接面２ａとレンズ部材５との光学的な距離が適切な値とならないことがある。このため、原稿Ｇの像を受光手段６’に結ばせるためには、透明カバー２２’の厚みに応じて原稿当接面２ａとレンズ部材５との距離ｈ２を調整する必要がある。画像読取装置Ａ１においては、スペーサ部材３１，３２，３３のかわりにスペーサ厚ｄ２’であるスペーサ部材３２’，３３’を用いることで原稿当接面２ａとレンズ部材５との距離ｈ２を調整することができる。なお、図７では、スペーサ部材３１に相当するスペーサ部材が表れていないがスペーサ部材３３’と同様のものがスペーサ部材３３’のｘ方向の反対側に配置されているものとする。図７に示すように、スペーサ厚ｄ２’が変化した場合には、係合片２１２の枠部材２１に対する傾斜角が変化し、傾斜面２１２ｂと橋状部１２ｃとの当接位置も変化する。
【００５６】
このように画像読取装置Ａ１では、何らかの事情で透明カバー２２の厚みや材質を変化させる必要が生じた場合に、スペーサ部材３１，３２，３３を取り替えることで、ケース１をそのまま使用することが可能である。さらに、受光手段６の種類を変えてｚ方向における厚みが変わってしまった場合にも、基板用スペーサ部材３４を取り替えることで、ケース１をそのまま使用することが可能である。
【００５７】
また、レンズ部材５を別の物に換える必要が生じた場合にも、画像読取装置Ａ１では、適切なスペーサ部材３１，３２，３３および基板用スペーサ部材３４を選択することで、ケース１をそのまま利用することが可能である。
【００５８】
また、さらに、画像読取装置Ａ１を組み込むスキャナ装置の形状にあわせてカバー部材２の形状を変更したい場合にも、カバー部材２とケース１とが別個であるため、ケース１をそのまま利用することが可能である。
【００５９】
以上のように、画像読取装置Ａ１は、内部の部品やカバー部材２を変更してもケース１を継続して使用可能な構成となっている。このため、高額になりがちなケース１の金型を新しく設計し、製造する機会を大幅に減らすことが可能である。さらに、組み込むスキャナ装置の機種が違っていても同じケース１を利用できる場合が多くなるため、同一のケース１を大量生産することで、材料費の削減を図る面や在庫管理等の面でも有利である。
【００６０】
図８〜図１５は、本発明の他の実施形態を示している。なお、これらの図において、上記実施形態と同一または類似の要素には、上記実施形態と同一の符号を付している。
【００６１】
図８および図９は、本発明の第２実施形態に基づく画像読取装置Ａ２を示している。画像読取装置Ａ２は、ケース１とカバー部材２との固定構造が画像読取装置Ａ１と異なっており、その他の構成は画像読取装置Ａ１と同様となっている。
【００６２】
画像読取装置Ａ２におけるケース１は、係合部１１，１２，１３の替わりに３個の固定金具１４を備えている。固定金具１４は、図８に示すように、ｘ方向においてカバー部材２の係合片２１１，２１２，２１３と重なる位置に配置されている。図９に示すように、固定金具１４は、基板７のｚ方向において原稿当接面２ａから遠い方の端面（図中下面）に当接する支持部１４１を有している。さらに、固定金具１４は、支持部１４１のｙ方向における両端から延びる弾性部１４２を有している。各弾性部１４２は、金属板をコの字状に折り曲げることによって形成された部分であり、ｚ方向に撓むように変形が可能となっている。各弾性部１４２のｚ方向における原稿当接面２ａに近いほうの端部からは係合部１４３が延出している。各係合部１４３にはｙ方向に貫通する係合穴１４３ａが形成されている。係合部１４３のｚ方向における原稿当接面２ａに近いほうの端部は、固定金具１４に力を加えやすいようにｙ方向に開くように折り曲げられている。
【００６３】
図９に示すように、本実施形態の係合片２１２は、そのｚ方向における原稿当接面２ａから遠い方の端にｙ方向の外方に膨出する膨出部２１２ａを備えている。本実施形態の膨出部２１２ａのｚ方向における原稿当接面２ａから近いほうの端部は、ｚ方向に垂直な面となっている。なお、係合片２１１，２１３は、形成されている位置が異なるだけで係合片２１２と同様の構造を有している。
【００６４】
本実施形態では、弾性部１４２が自然状態よりもｚ方向に長くなるようにした状態で係合穴１４３ａに膨出部２１２ａを引っ掛けることにより、固定金具１４と係合片２１２とを固定している。このとき、弾性部１４２がｚ方向に収縮しようとする弾性力を発揮するため、係合片２１１，２１２，２１３にはｚ方向において原稿当接面２ａから遠ざかる方向の力が加えられる。同時に支持部１４１を通じて基板７にｚ方向において原稿当接面２ａに近づく方向に力が加えられ、基板７は基板用スペーサ部材３４を間に挟んで収容凹部１０ｄに押し付けられることになる。このため、ケース１には、ｚ方向においてカバー部材２に近づく方向に力が加えられることになる。従って、本実施形態においても、カバー部材２とケース１とは、スペーサ部材３１，３２，３３を間に挟みながら互いに近づこうとしており、カバー部材２とケース１との間隔が不当に変化しにくくなっている。
【００６５】
さらに、本実施形態においても、弾性部１４２がｚ方向に変形可能であるため、スペーサ部材３１，３２，３３のスペーサ厚ｄ２を変更することで、原稿当接面２ａとレンズ部材５との距離ｈ２を精度よく変化させることが可能である。このため、画像読取装置Ａ２も画像読取装置Ａ１と同様に、内部の部品やカバー部材２を変更してもケース１を継続して使用可能な構成となっている。
【００６６】
またさらに、本実施形態では、固定金具１４が基板７をケース１に固定する役割も果たしており、基板７をケース１に取り付けるために別の金具を用意する必要がなくなっている。
【００６７】
図１０および図１１は、本発明の第３実施形態に基づく画像読取装置Ａ３を示している。画像読取装置Ａ３は、カバー部材２が複数の誘導部材２３を有しており、その他の構成は画像読取装置Ａ２と同様となっている。また、本実施形態では、原稿Ｇがｙ方向の一方側（図１１中右側）から他方側（図１１中左側）へ搬送させられているものとする。
【００６８】
図１０に示すように、複数の誘導部材２３は、枠部材２１のｙ方向の一方の端縁にｘ方向に沿って互いに所定の間隔を隔てて配列されるように形成されている。誘導部材２３同士の間隔は、たとえば画像読取装置Ａ３が組み込まれるスキャナ装置側の構成に合わせて決定される。各誘導部材２３は、枠部材２１のｙ方向の一方の端縁からｙ方向の一方へ向けて突出するように形成されている。各誘導部材２３は原稿当接面２ａと連続し、原稿Ｇと当接する原稿誘導面２３ａを有している。さらに、各誘導部材２３は、ｙ方向の一方の端部には、ｙ方向の一方側ほどｚ方向において原稿誘導面２３ａから遠ざかる原稿誘導傾斜面２３ｂを有している。
【００６９】
これらの誘導部材２３は、原稿Ｇが滑らかに原稿当接面２ａに搬送されるようにする上で有利に作用する。特に、原稿誘導傾斜面２３ｂが設けられていることで、原稿Ｇがカバー部材２のｙ方向の一方側の端に沿って不当にｚ方向に進んでしまうのを防ぐことができる。
【００７０】
なお、複数の誘導部材２３を、枠部材２１のｙ方向の両端縁に形成してもよい。この場合、読み取り終わった原稿Ｇをより円滑にｙ方向に沿って搬送させることができる。
【００７１】
図１２および図１３は、本発明の第４実施形態に基づく画像読取装置Ａ４を示している。画像読取装置Ａ４は、カバー部材２が誘導部材２４を有しており、その他の構成は画像読取装置Ａ２と同様となっている。本実施形態では、ｘ方向に沿って延びる軸８１に連結された回転ローラ８２によって、原稿Ｇがｙ方向の一方側（図１３中右側）から他方側（図１３中左側）へ搬送させられているものとする。本実施形態では、図１２に示すように、８個の回転ローラ８２がｘ方向に沿って並ぶように配列されている。
【００７２】
誘導部材２４は、固定金具１４を回避するためにｘ方向における中央で分割されているが、ｘ方向の略全長に渡って形成されている。誘導部材２４は、原稿当接面２ａと連続し、原稿Ｇと当接する原稿誘導面２４ａを有しており、ｙ方向の一方の端部には、ｙ方向の一方側ほどｚ方向において原稿誘導面２４ａから遠ざかる原稿誘導傾斜面２４ｂを有している。さらに、誘導部材２４は、８個の回転ローラ８２を収容するためのローラ収容部２４ｃを有している。誘導部材２４のローラ収容部２４が形成されていない部分には、図１３に示すように、軸８１を通すための軸収容部２４ｄが形成されている。
【００７３】
このような構成によれば、原稿Ｇが回転ローラ８２の回転に引っ張られ、たとえばｚ方向に沿って移動するのを誘導部材２４が防ぐため、原稿Ｇが滑らかに原稿当接面２ａへと搬送される。
【００７４】
なお、誘導部材２４を、枠部材２１のｙ方向の両端縁に形成してもよい。この場合、読み取り終わった原稿Ｇをより円滑にｙ方向に沿って搬送させることができる。
【００７５】
図１４は、本発明の第５実施形態に基づく画像読取装置Ａ５を示している。画像読取装置Ａ５は、枠部材２１と透明カバー２２との間に樹脂部材２５が充填されており、その他の構成は画像読取装置Ａ２と同様である。
【００７６】
枠部材２１と透明カバー２２との間に樹脂部材２５が充填されていることにより、原稿Ｇが枠部材２１と透明カバー２２との隙間で引っ掛かるのを予防することができる。このため、原稿Ｇの搬送がより滑らかに行うことが可能となる。
【００７７】
なお、画像読取装置Ａ５における樹脂部材２５を、画像読取装置Ａ１あるいは画像読取装置Ａ３，Ａ４においても採用してよい。
【００７８】
図１５は、本発明の第６実施形態に基づく画像読取装置Ａ６を示している。画像読取装置Ａ６は、導光体４２と反射部材４３の形状が上述した実施形態のものとは異なっており、その他の構成は画像読取装置Ａ２と同様である。
【００７９】
本実施形態の導光体４２は、図１５に示すように矩形状の断面を有する本体部４２ａと円弧状の断面を有する出射部４２ｂとを備えた構成となっている。反射部材４３は導光体４２を保持するように形成されている。
【００８０】
なお、画像読取装置Ａ６に示す導光体４２および反射部材４３を、画像読取装置Ａ１〜Ａ５において採用してもよい。
【００８１】
本発明に係る画像読取装置は、上述した実施形態に限定されるものではない。本発明に係る画像読取装置の各部の具体的な構成は、種々に設計変更自在である。たとえば、上述した実施形態では線状光源４を内蔵しているが、線状光源４を内蔵せず、外部からの光を用いて原稿Ｇを読み取る型の画像読取装置においても本発明は好ましく利用できる。
【００８２】
また、上記実施形態では、スペーサ部材３１，３２，３３が半球状の凸部３１１，３１２，３２１，３３１，３３２を有する形状であるが、スペーサ部材３１，３２，３３の形状はこれに限定されない。ケース１とカバー部材２との間隔を一定に保つことができればどのような形状であってもかまわない。
【００８３】
また、上記実施形態ではスペーサ部材３２がケース本体部１０のｘ方向における中央に配置されているが、スペーサ部材３２の位置は、スペーサ部材３１，３３の間であれば、どこでも構わない。さらに、ケース１およびカバー部材２のｘ方向長さによっては、スペーサ部材３２を省略しても構わない。逆に、ケース１およびカバー部材２のｘ方向長さに応じてｘ方向に沿って配列されるスペーサ部材３２の数を増やしてもよい。
【００８４】
また、上記実施形態では、ケース１とカバー部材２との固定を係合部１１，１２，１３と係合片２１１，２１２，２１３との係合あるいは固定金具１４による固定によって行っているが、これらに加えて、シリコン樹脂などの接着剤を併用してもよい。具体的には、スペーサ部材３１，３２，３３とは異なる位置に接着剤を付着させるのが望ましく、ケース１とカバー部材２との固定をより強固なものとすることができる。
【００８５】
また、上記実施形態では、スペーサ部材３１，３２，３３のｚ方向における厚みは同じであるが、必要に応じてスペーサ部材３２のｚ方向における厚みをスペーサ部材３１，３３よりも厚くしても構わない。その場合、ｘ方向における中央が両端部よりもｚ方向に突出するようにカバー部材２が反ることになる。
【００８６】
また、上記実施形態では、スペーサ部材３１，３２，３３は、ケース１から独立した部品であるが、ケース１とスペーサ部材３１，３２，３３とが一体となっていても構わない。この場合、スペーサ部材３１，３２，３３を予めｚ方向に長めに形成しておき、必要に応じて削ることにより、ケース１とカバー部材２とのｚ方向の間隔を調整することが可能である。
【００８７】
また、上記実施形態では、基板７のｚ方向の位置も調整可能なように基板用スペーサ部材３４が設けられているが、基板７の位置を調整する必要が想定されない場合には、基板用スペーサ部材３４を省略しても構わない。
【符号の説明】
【００８８】
Ａ１，Ａ２，Ａ３，Ａ４，Ａ５，Ａ６  画像読取装置
Ｇ      原稿
ｘ      （主走査）方向
ｙ      （副走査）方向
ｚ      （厚み）方向
１      ケース
１０    ケース本体部
１０ａ  基準面
１０ｂ，１０ｃ，１０ｄ  収容凹部
１０１，１０２，１０３  凹部
１１，１２，１３  係合部
１１ａ，１２ａ，１３ａ  溝部
１１ｂ，１２ｂ  開口部
１１ｃ，１２ｃ，１３ｃ  橋状部
１４    固定金具
１４１  支持部
１４２  弾性部
１４３  係合部
１４３ａ  係合穴
２      カバー部材
２ａ    原稿当接面
２１    枠部材
２１ａ  枠
２２    透明カバー
２３，２４  誘導部材
２３ａ，２４ａ  原稿誘導面
２３ｂ，２４ｂ  原稿誘導傾斜面
２４ｃ  回転ローラ収容部
２４ｄ  軸収容部
２５    樹脂部材
２１１，２１２，２１３  係合片
２１１ａ，２１２ａ  膨出部
２１１ｂ，２１２ｂ  傾斜面
３１，３２，３３  スペーサ部材
３１１，３１２，３２１，３３１，３３２  凸部
３４    基板用スペーサ部材
３４１，３４２  凸片
４      線状光源
４１    ＬＥＤユニット
４２    導光体
４３    反射部材
５      レンズ部材
５１    ロッドレンズ
５２    保持部材
６      受光手段
７      基板
７１    コネクタ
【図１】
2012019333.tif 000003
【図２】
2012019333.tif 000004
【図３】
2012019333.tif 000005
【図４】
2012019333.tif 000006
【図５】
2012019333.tif 000007
【図６】
2012019333.tif 000008
【図７】
2012019333.tif 000009
【図８】
2012019333.tif 000010
【図９】
2012019333.tif 000011
【図１０】
2012019333.tif 000012
【図１１】
2012019333.tif 000013
【図１２】
2012019333.tif 000014
【図１３】
2012019333.tif 000015
【図１４】
2012019333.tif 000016
【図１５】
2012019333.tif 000017
【図１６】
2012019333.tif 000018